(57)【特許請求の範囲】
【請求項１】
温水洗浄便座に設けた尿成分を検出する尿検査ノズルと、
前記尿検査ノズルの先端部に着脱可能に設けられ尿を受ける凹状に形成された光透過材の尿溜まりセルと、
前記尿溜まりセルの前記着脱する側とは反対側の端面に備えた反射材と、
前記尿検査ノズルに設けられ前記尿溜まりセル内の尿を介して前記反射材に光を発光する発光手段と、
前記尿検査ノズルに設けられ前記反射材で反射した光を受光する受光手段と、
前記受光手段の光量から尿糖値を算出する制御部と、
前記尿検査ノズルを回転させるノズル駆動手段と、
前記尿検査ノズルに水流を吹き付けて洗浄するノズル洗浄部と
を有し、
前記ノズル駆動手段により前記尿溜りセルの開口部を
尿を廃棄する方向に駆動させる尿検査装置。
【請求項２】
ノズル駆動手段により、尿検査ノズルを振動させて尿溜りセル内の尿の廃棄を促進するようにした請求項１に記載の尿検査装置。
【発明の詳細な説明】
【０００１】
【発明の属する技術分野】
本発明は、家庭や職場等において簡便に健康管理が出来るように、尿糖など尿成分のチェックを行う尿検査装置に関するものである。
【０００２】
【従来の技術】
糖尿病などの予防や体調の管理などのために、尿糖量や尿蛋白などの尿成分の検査に対する要望が高まってきている。
【０００３】
従来の家庭で行う尿検査の方法としては、これに薬局などで購入した尿試験紙を一定時
間浸して試験紙の化学反応による色の変化を読み取るというものが中心であった。
【０００４】
こうした尿の検査を家庭で行うものとして、尿検査機能付きの便座が提案されてきている。尿成分計測の原理としては、尿糖を酵素反応させ、その結果として尿糖量に応じて発生する電流や呈色具合を計測する酵素方式や、コイルと一体化したセル内に充填した尿にレーザ光を照射して尿糖量に応じて発生した旋光度をキャンセルするのに必要とした磁場電流量として計測する旋光方式などが提案されている。
【０００５】
これらの方式では、酵素などの試薬を供給したり、セル内に尿を充填したりする便宜や、便座部に一体化するには検査装置の規模が大きいことなどの理由から、便器部分には尿を受けるヒシャク状の尿受けノズルを設置し、このノズルで受けた尿を併設した検査装置までポンプ等により搬送してから検査する搬送構成が一般的であった。
【０００６】
【発明が解決しようとする課題】
しかしながら、こうした搬送構成では、検査装置内の搬送した尿を再び便器に戻して廃棄するなどの複雑な構成が必要な上、搬送チューブやノズル壁面などの撒送経路に尿垢などが付着した際のメンテナンスに手間がかかるといった課題があった。
【０００７】
【課題を解決するための手段】
前記従来の課題を解決するために、本発明の尿検査装置は、温水洗浄便座に設けた尿成分を検出する尿検査ノズルと、前記尿検査ノズルの先端部に着脱可能に設けられ尿を受ける凹状に形成された光透過材の尿溜まりセルと、前記尿溜まりセルの前記着脱する側とは反対側の端面に備えた反射材と、前記尿検査ノズルに設けられ前記尿溜まりセル内の尿を介して前記反射材に光を発光する発光手段と、前記尿検査ノズルに設けられ前記反射材で反射した光を受光する受光手段と、前記受光手段の光量から尿糖値を算出する制御部と、前記尿検査ノズルを回転させるノズル駆動手段と、前記尿検査ノズルに水流を吹き付けて洗浄するノズル洗浄部とを有し、前記ノズル駆動手段により前記尿溜りセルの開口部を尿を廃棄する方向に駆動させる構成としている。
【０００８】
これによって、ユーザが温水洗浄便座で排尿し、尿検査ノズルの先端部に着脱可能に設けられた凹状に形成された光透過材の尿溜まりセルで受けられた尿に、発光手段からの光が当てられ、尿溜まりセルの反射材で反射された光を受光手段が受光し、受光手段の光量から制御部によって尿糖値が算出され、ノズル駆動手段により尿溜りセルを尿が廃棄される方向に駆動され、ノズル洗浄部で尿検査ノズルに水流を吹き付けられて洗浄されるため、検査装置内の搬送した尿を再び便器に戻して廃棄する搬送チューブなどの複雑な構成が必要なく、撒送経路の尿垢付着によるメンテナンスの手間をかからなくすることができる。
【０００９】
特に、尿検査ノズルの先端部に着脱可能に設けられ尿を受ける凹状に形成された光透過材の尿溜まりセルと、尿溜まりセルの着脱する側とは反対側の端面に備えた反射材と、尿検査ノズルに設けられ尿溜まりセル内の尿を介して反射材に光を発光する発光手段と、反射材で反射した光を受光する受光手段の構成により、尿検査ノズルの先端部に着脱部を局在化することができ、尿溜りセルを取り外した場合の尿検査ノズルの強度を高めた構成とするができる。
【００１０】
【発明の実施の形態】
第１の発明は、温水洗浄便座に設けた尿成分を検出する尿検査ノズルと、前記尿検査ノズルの先端部に着脱可能に設けられ尿を受ける凹状に形成された光透過材の尿溜まりセルと、前記尿溜まりセルの前記着脱する側とは反対側の端面に備えた反射材と、前記尿検査ノズルに設けられ前記尿溜まりセル内の尿を介して前記反射材に光を発光する発光手段と、前記尿検査ノズルに設けられ前記反射材で反射した光を受光する受光手段と、前記受光手段の光量から尿糖値を算出する制御部と、前記尿検査ノズルを回転させるノズル駆動手段と、前記尿検査ノズルに水流を吹き付けて洗浄するノズル洗浄部とを有し、前記ノズル駆動手段により前記尿溜りセルの開口部を尿を廃棄する方向に駆動させるものである。
【００１１】
これによって、ユーザが温水洗浄便座で排尿し、尿検査ノズルの先端部に着脱可能に設けられた凹状に形成された光透過材の尿溜まりセルで受けられた尿に、発光手段からの光が当てられ、尿溜まりセルの反射材で反射された光を受光手段が受光し、受光手段の光量から制御部によって尿糖値が算出され、ノズル駆動手段により尿溜りセルを尿が廃棄される方向に駆動され、ノズル洗浄部で尿検査ノズルに水流を吹き付けられて洗浄されるため、検査装置内の搬送した尿を再び便器に戻して廃棄する搬送チューブなどの複雑な構成が必要なく、撒送経路の尿垢付着によるメンテナンスの手間をかからなくすることができる。
【００１２】
特に、尿検査ノズルの先端部に着脱可能に設けられ尿を受ける凹状に形成された光透過材の尿溜まりセルと、尿溜まりセルの着脱する側とは反対側の端面に備えた反射材と、尿検査ノズルに設けられ尿溜まりセル内の尿を介して反射材に光を発光する発光手段と、反射材で反射した光を受光する受光手段の構成により、尿検査ノズルの先端部に着脱部を局在化することができ、尿溜りセルを取り外した場合の尿検査ノズルの強度を高めた構成とするができる。
【００１３】
第２の発明は、特に第１の発明のノズル駆動手段により、尿検査ノズルを振動させて尿溜りセル内の尿の廃棄を促進するようにしたものである。
【００１４】
【実施例】
（参考実施例１）
以下、本発明の参考実施例１について図面を参照しながら説明する。図１は本実施例の構成を示す図である。１は便座で、２は洗浄ノズルや制御回路などを格納する便座ユニット部である。４は便器、３は洗浄水タンクである。５は尿検査ノズルであり、便座ユニット部２に尿検査ノズル５の回転や収納させるノズル駆動部２２を構成する。図１の尿検査ノズル５の先端部の拡大部分は、尿検査ノズル５を旋光方式で構成する場合を示し、５５は尿検査ノズル５にかけられた尿を溜める尿溜りセル、５１は発光部（発光手段）であり、５２は受光部（受光手段）である。
【００１５】
尿検査ノズル５の発光部５１や受光部５２の構成と便座ユニット部２の動作を図２を使って説明する。図２の尿検査ノズル５のノズル先端部の図において、溜める尿溜りセル５５は、レーザ光を散乱などの影響なく通過できるガラスや樹脂などの光透過材で成形する。発光部５１はレーザ光源５１１と直線偏光成分を取り出す偏光フィルタ５１２から構成する。受光部５２内の５２３は、外線部にエナメル線を巻いたファラデーコイルであり、内部は水もしくは旋光材で充填し、発光部５１からのレーザ光に磁場を印加する。５２２は、レーザ光源からのレーザ光の内、尿溜りセル５５やファラデーコイル５２３内を通過する際に生じた旋光成分だけを通過させるように偏光フィルタ５１２と直交関係に配置した検光フィルタである。また５２１は、偏光フィルタ５２２を通過したレーザ光を受光する受光素子である。
【００１６】
次に、２０は尿成分検査装置全体を制御する制御部であり、マイコンおよびその周辺回路で構成する。２１はユーザが動作開始を指示する操作キーや尿検査の結果を表示する液晶パネルなどから構成した入出力部、２２は尿検査ノズル５の回転や突出・収納を行うギアモータなどから構成するノズル駆動部（ノズル駆動手段）、２３は発光部５１の点灯や消灯を行う発光回路、２４は受光部５２からの光量に応じた出力信号を電圧値として制御部２０に入力する光量検出回路、２５はファラデーコイル５２３の電流量を制御して印加する磁場強度の切り替えや変調を行う磁場印加回路、２６は尿検査ノズルに水流を掛けて洗浄するポンプなどから構成したノズル洗浄部である。
【００１７】
まず図２では、ユーザが入出力部２１より「検尿準備」を指示すると、制御部２０はノズル駆動部２２により格納していた尿検査ノズル５を便器４に突出する。ユーザが排尿を終えて、入出力部２１より「検査開始」を指示すると、制御部２０は発光回路２３によりレーザ光源５１１を点灯する。レーザ光源５１１から光は尿溜まりセル５５内の尿の尿糖濃度に応じて旋光され、検光子５２２を通過して受光素子５２１に入射する。入射された光量は、光量検出回路２４により電圧に変換されて制御部２０に検出される。
【００１８】
制御部２０では、磁場印加回路２５によりファラデーコイル５２３に流す電流を順次変化させて印可磁場強度を変え、受光素子５１２への入射光量が最小になる時点のファラデーコイル５２２への電流量を検出する。制御部２０では、予め記憶させた計算プログラムに従って、電流量から尿糖値を算出し、入出力部２１により結果を表示するものである。
【００１９】
次に、計測が終了すると、制御部２０は、ノズル駆動部２２により尿溜りセル５５が図３（ａ）から図３（ｂ）の状態になるように開口部を下向きに検査ノズル５を回転させ、尿溜りセル５５内の尿を便器４内に廃棄し、ノズル洗浄部２６により流水を尿検査ノズル５に掛けて洗浄した後、便座ユニット４内に収納する。
【００２０】
なお、図示はしていないが、尿検査ノズル５の上部には溝状の尿ガイドを設け、ノズルの何処に尿が掛かっても集尿性良く尿溜まりセル５５への尿が集まる構成も有効である。
【００２１】
また、尿検査ノズル５は、便座ユニット４内収納せず、横にスイングして便座１の裏側に格納する構成も可能である。
【００２２】
更に、本参考実施例では尿溜りセル５５からの尿の廃棄や着脱可能にする構成を光方式と組み合わせる例を説明したが、酵素式など他の方式に適用することも可能である。
【００２３】
（参考実施例２）
以下、本発明の参考実施例２について図４を参照しながら説明する。図４は図１の尿検査ノズル５の先端部の別の構成を示すものである。したがって、全体構成は図１や図２と同様にできるものである。また、本装置の動作は尿成分の計測終了までは、参考実施例１と同様にできるものである。
【００２４】
図４では、尿溜りセル５５の底部分に１つ以上の細孔５５１を設ける。尿溜りセル５５に溜まった尿は、細孔５５１を通過して便器４内に落下して、徐々に廃棄される。細孔５５１の径や個数は、計測中に尿溜りセル５５の尿液面がレーザ光よりも下がらない様に設定する。
【００２５】
本参考実施例では、参考実施例１と同様に、計測終了までの動作を行い、その後ノズルを回転して廃棄する代わりに、所定時間の間、尿が細孔５５１から廃棄されるのを待ち、ノズル駆動部２２により尿検査ノズル５を収納した後、ノズル洗浄部２６により残留尿を洗い流すものである。
【００２６】
なお、計測終了時点で、尿溜りセル５５内の尿量が少ない場合には、もちろん直ぐに収納と洗浄を行っても構わないものである。
【００２７】
（参考実施例３）
以下、本発明の参考実施例３について図面を参照しながら説明する。図５（ａ）、（ｂ）は本参考実施例の尿検査ノズル５の先端部の構成を示す図である。本参考実施例では、装置全体の動作は、参考実施例１や参考実施例２と同様にできるものである。
【００２８】
本参考実施例では、参考実施例１および参考実施例２の尿溜りセル５５を尿検査ノズル５から取り外せる構成とする。尿溜りセル５５の端面には、尿の成分が付着するため、レーザ光の透過を阻害し、計測精度を低下させる要因となる。
【００２９】
図５（ｂ）のように、尿溜りセル５５を取りはずし、新しいセルと交換することや、専用の薬品を使って掃除などができるように構成することで、多数回計測を行った場合でも、尿垢の付着など影響が少ない精度の高い計測が可能となるものである。
【００３０】
（実施例１）
以下、本発明の実施例１について図面を参照しながら説明する。図６は、本一実施例の尿検査ノズルの先端部の構成を示す図である。図６（ａ）に示すように本実施例では、尿溜りセル５５の端面にレーザ光の反射材５７１を取り付けて、発光部５１及び受光部５２を同一側に配置する構成としており、発光部５１は反射材５７１で反射して、受光部５２で受光される。従って、装置全体の動作は、参考実施例１や参考実施例２と同様にできるものである。
【００３１】
本実施例でも図６（ｂ）に示すように、尿溜りセル５５を取りはずし、新しい尿溜りセルと交換することや、専用の薬品を使って掃除などができるように構成することで、多数回計測を行った場合でも、尿垢の付着など影響が少ない精度の高い計測が可能となるものである。
【００３２】
特に本実施例の構成では、ノズルの先端部に交換部を局在化することで、尿溜りセルを取り外した場合の尿検査ノズル５の強度を高めた構成とするができる。
【００３３】
なお本一実施例でも、尿の廃棄の方式は参考実施例１のようにノズルを回転する方式や、セルの底に細孔を設ける方式と組み合わせることが可能なものである。
【００３４】
【発明の効果】
本発明によれば、尿を搬送するポンプやチューブを必要としない簡単な構成と、尿の採取および廃棄がしやすくメンテナンスにも手間がかからなくすることができる。
【図面の簡単な説明】
【図１】  本発明の参考実施例１の尿検査装置の構成図
【図２】  同尿検査装置の制御ブロック図
【図３】  （ａ）同尿検査ノズルでの尿の廃棄方法の構成図
（ｂ）同尿の廃棄時の構成図
【図４】  本発明の参考実施例２の尿検査ノズルでの尿の廃棄方法の構成図
【図５】  （ａ）本発明の参考実施例３の尿溜りセルの着脱構成図
（ｂ）同尿溜りセル取り外し時の構成図
【図６】  本発明の実施例１の尿溜りセルの着脱の構成図
【符号の説明】
１  便座
２  便座ユニット部
３  洗浄水タンク
４  便器
５  尿検査ノズル
２２  ノズル駆動部（ノズル駆動手段）
５１  発光部（発光手段）
５２  受光部（受光手段）
５５  尿溜りセル
【図１】
0004423774.tif 000002
【図２】
0004423774.tif 000003
【図３】
0004423774.tif 000004
【図４】
0004423774.tif 000005
【図５】
0004423774.tif 000006
【図６】
0004423774.tif 000007